(57)【要約】      （修正有）【課題】建築物の床面にワックスや薬剤などの液体を塗布するときに、効率よくかつ均一に塗布できるようにする。【解決手段】液体の減量に伴い大気圧でつぶれる程度の柔軟性を有する容器１１の口に柔軟性を有するチューブ７１を接続して床面近くまで延長し、前記容器１１内液体の散布量を調整するために前記チューブ７１の途中に少なくとも一個のバルブ５１を設けた床面用の塗布具８２であって、前記容器１１を携帯するために剛性のフレームを有する携帯具２１に固定するとともに、前記バルブ５１はチューブ７１の着脱を容易にする構造にしてモップの柄に固定する。【選択図】図８
2010213812.tif 000002
【特許請求の範囲】
【請求項１】
液体の減量に伴い大気圧でつぶれる程度の柔軟性を有する容器の口に柔軟性を有するチューブを接続して床面近くまで延長し、前記容器内液体の散布量を調整するために前記チューブの途中に少なくとも一個のバルブを設けた床面用の塗布具であって、前記容器を携帯するために剛性のフレームを有する携帯具に固定したことを特徴とする床面用の塗布用具。
【請求項２】
液体の減量に伴い大気圧でつぶれる程度の柔軟性を有する容器の口に柔軟性を有するチューブを接続して床面近くまで延長し、前記容器内液体の散布量を調整するために前記チューブの途中に少なくとも一個のバルブを設けた床面用の塗布具であって、床面に近いところで前記チューブの先端部分を少なくとも一度上方に向けて曲げたことを特徴とする床面用の塗布用具。
【請求項３】
液体の減量に伴い大気圧でつぶれる程度の柔軟性を有する容器の口に柔軟性を有するチューブを接続して床面近くまで延長し、前記容器内液体の散布量を調整するために前記チューブの途中に少なくとも一個のバルブを設けた床面用の塗布具であって、前記チューブの先端に液止めキャップを取り付けたことを特徴とする床面用の塗布用具。
【請求項４】
柔軟性があるチューブを押えることでチューブ内液体の流動停止を調整できるバルブであって、フレームとレバー部を有し、前記フレーム片側から立ち上げた部分と前記レバーとを回転軸で回転可能として固定し、前記回転軸の片方でバネによって前記レバーを前記フレームから押し上げ、前記回転軸の他方で前記レバーと前記フレームの間でチューブを押える構造とし、チューブの着脱を容易にしたことを特徴とするバルブ。
【請求項５】
請求項１の携帯具において、容器の渕部を挟んで前記容器を固定したことを特徴とする床面用の塗布用具。
【発明の詳細な説明】
【技術分野】
【０００１】
本発明は床面にワックスや薬剤などの液体を塗布するために用いる用具に関するものである。          
【背景技術】
【０００２】
床用のワックス塗布具は塗布対象面積の大小、床材の種類、ワックスの性質、作業者の好みなどの要因で種々の用具の中から選別され使用されている。
【０００３】
ワックスを塗布部に容易に供給するための用具として、モップの柄に容器を設けてある塗布具として、特許文献１、特許文献２、特許文献３などがある。
【０００４】
これらの塗布用具は塗布部分と一体となって販売されているため、前記したように種々の異なった状況での塗布作業に最適とは言えず、さほど普及していないのが現状である。
【０００５】
現在一般に事務所などの備品が多いところでは、２ないし４リットルの容器にワックスを小分けして、床面ないしは塗布布上に滴下している。
【０００６】
広々とした量販店の通路などでは、キャスターを底面に取り付けた幅広の塗布量を調整する網部を持つ容器にワックスを入れ、塗布部分を浸し量を調整して塗布作業をしている。
【０００７】
いずれの場合も、ワックスの製造元から送られてくる運搬保管用の容器から塗布するための容器に移し変えてから床面に塗布している。
【先行技術文献】
【特許文献】
【０００８】
【特許文献１】特許第３８４５７９１号
【特許文献２】特表２００６−５２６４６９
【特許文献３】特表２００８−５４３４３６
【発明の概要】
【発明が解決しようとする課題】
【０００９】
製造元から送られた運搬・保存用のワックス容器から他の容器に移し替えることなく、ワックスを床面に塗布できるようにすること。
【００１０】
簡易な構造として安価に供給でき、現在使用している塗布具に取り付けられるようにする。
【００１１】
作業者の負担を低減するために、手元のバルブ開閉操作のみでワックスを床面に供給できるようにする。
【００１２】
塗布作業終了時の用具の手入れを容易にすること。
【課題を解決するための手段】
【００１３】
液体の減量に伴い容器が大気圧でつぶれる程度の柔軟性を有する容器を使用する。
【００１４】
例をあげると、コニシ株式会社製の２リットルのワックス容器でエコパック（商品名）などの、運搬・保存用の使い捨ての容器を用いる。
【００１５】
図２の携帯用具２１に容器の口１４とは概ね反対側の渕部１２を台座２１とプレート２２間に差し込み手回しボルト２３を締め容器１１を取り付ける。
【００１６】
チューブ７１の先端に容器の口１４及びキャップ１５と同じ物を取り付ける。
【００１７】
床面に近いチューブ７１の先端部分で図７に示すように、上方から来たチューブを一度概ね１８０度曲げ、チューブを上に向ける。
【００１８】
モップの柄４１の上部に開閉用のバルブ５１を取り付ける。
【００１９】
バルブ５１にチューブ７１を取り付ける。
【００２０】
容器１１のキャップ１４をはずし、チューブ７１を容器の口１４に挿入し、ホースバンドで締める。
【００２１】
図３の腰周り用携帯用具３１の差込部３３をベルトと体の間に差し込む。
【００２２】
また、モップの柄４１には、図４のように携帯用具２１を置ける、モップ用携帯用具４２と振れ防止用具４３を取り付ける。
【００２３】
携帯用具２１を腰周り用携帯用具３１の携帯用具受け３２に乗せる。
【００２４】
チューブ先端のキャップ１４を外す。
【００２５】
モップの柄４１上端部８１を腰周りに携帯した容器１１の高さより低くしてバルブ５１を開けると、容器１１内からチューブ７１を通してワックスが流れ出る。
【００２６】
チューブ７１の下端付近までワックスが到達したときにバルブ５１を閉じる。
【００２７】
その後はチューブ７１が容器１１の高さより高くなってもサイフォンの原理でワックスはバルブ５１を開けると流れる。
【００２８】
バルブ５１を開閉し床面の必要なところに必要な量を散布しワックス塗布作業を行う。
【００２９】
休憩時など塗布作業を中断するとき、もしくは作業場所を移動するときには、チューブ先端にキャップ１４を取り付ける。
【００３０】
このとき、チューブ７１がバルブ５１で押されていることでのチューブ７１の変形を防止するために、バルブ５１から外しておく。
【００３１】
作業終了時には、容器１１を床面に置き、チューブ内のワックスを容器に戻し、容器の口１３からチューブ７１を外し、チューブ７１内を水洗いする。
【発明の効果】
【００３２】
製造元から送られた運搬・保存用の容器からチューブを通して直接床面にワックスを供給でき、ワックスの汚染・変質などの危険性が低減される。
【００３３】
運搬・保存用の容器から他の容器にワックスを移し替える必要がなくなる。
【００３４】
ワックス容器を腰周りに携帯するのでモップが重たくならず操作性が良好で、塗布操作が楽になる。
【００３５】
バルブの開閉で必要な時に必要な量のワックスを床面へ供給できるのでワックスを均一に効率よく塗布できる。
【００３６】
塗布作業終了時にはチューブ内に残ったワックスを容器内に容易に戻すことが出来無駄がない。
【００３７】
また作業後の用具の手入れは塗布具の洗浄と、チューブ内に水道水を流すだけですむ。
【図面の簡単な説明】
【００３８】
【図１】は液体の減量に伴い大気圧でつぶれる程度の柔軟性を有する容器の斜視図。
【図２】は本発明の容器の渕を挟みこんで固定する携帯用具。
【図３】は本発明の携帯用具を腰周りに装着する為の腰周り用携帯用具の斜視図。
【図４】は本発明の携帯用具をモップの柄に装着する為のモップ用携帯用具と振れ防止用具の斜視図。
【図５】は本発明のバルブ斜視図。
【図６】は本発明のバルブの部分斜視図
【図７】は本発明の液止め用具の斜視図
【図８】は本発明の携帯用具を腰周りに装着したときの斜視図。
【図９】は本発明の携帯用具をモップの柄に装着したときの斜視図。
【発明を実施するための形態】
【００３９】
製造元から送られた運搬・保存用の容器であって、内部液体の減量に伴い大気圧でつぶれる程度の柔軟性を有する容器に収納されたワックスを使用する。
【００４０】
床用のワックス塗布具は塗布対象面積の大小、床材の種類、ワックスの性質、作業者の好みなどの要因で種々の用具の仲から選別され使用されている。
【００４１】
そこで、現在用いられている塗布具に取り付けられるようにした。
【００４２】
また、広い面積の塗布作業で作業者が塗布作業のみに専念できるときは、腰に容器１１を携帯してモップの柄４１の先端の塗布具８２を操作すると、操作性が良く作業の負担も軽くなる。
【００４３】
しかし、狭い面積の塗布作業では、塗布作業に専念することなく、途中に他の作業を分担することが多々あるので、モップの柄４１に容器１１を携帯しておいたほうが、他の作業への移行が容易となる。
【００４４】
そこで、腰周りとモップの柄４１に容器１１を取り付けられるようにした。
【００４５】
剛性のフレームを有する携帯具２１に容器１１を取り付け固定することで、他の作業への移行操作を迅速にできるようにした。
【００４６】
具体的には、携帯具２１の台座２３に取り付けた手回しボルト２３を緩め台座２２とプレート２４の間に容器の渕部１２を差し込めるようにする。
【００４７】
このとき、台座２２とプレート２４の隙間が安定して確保できるように、弾力性のある隙間確保用チューブ２５の両端部を台座２２に設けた穴２６に差し込んで取り付け、隙間確保用チューブ２５の反発力で隙間を確保した。
【００４８】
左右の台座２２とプレート２４の間に、容器の渕１２を差し込み手回しボルト２３を締めこむ。
【００４９】
柔軟性のある容器１１を剛性のフレームを有する携帯用具２１に固定したことで、次に述べるような利点が生じる。
【００５０】
腰ベルトに腰周り用携帯用具３１の差込部３３を差し込み、携帯用具受け３２の上に携帯用具２１を載せる。
【００５１】
このとき、左右の台座２２の間に携帯用具受け３２が入り込むようにしておくことで、携帯用具２１は図３の場合、左右に外れることがない。
【００５２】
携帯用具２１を携帯用具受け３２から取り出す際に指を掛やすいように携帯用具受け３２の概ね中央部に切り欠き部３４を設ける。
【００５３】
携帯用具２１に取り付けた容器１１をモップの柄４１に取り付けるために、モップ用携帯用具４２をモップの柄４１に手締めバンド４７で固定し、その下方に振れ防止用具４３を手締めバンド４７で固定する。
【００５４】
モップ用携帯用具４２には、腰周り携帯用具３１と同じ携帯用具受け３２を設け、携帯用具２１を乗せるだけで容器１１をモップの柄に固定できる。
【００５５】
モップの柄４１は塗布作業中、常に左右もしくは前後に動くため、容器１１が振れないようにしておかないと作業がしづらい。
【００５６】
そこで、モップの柄１１を左右に動かす際に、容器１１が左右に動くのを防止するために、振れ防止用具４３には左右にアーム４５を設け容器１１の動きを封じた。
【００５７】
また、モップの柄４１を前後に動かす際に、容器１１が上下に動くのを防止するために、振れ防止用チューブ４４を左右のアーム４５に設けた切り欠き部４６に着脱容易に挟み込むようになし、容器１１を固定させて動きを封じた。
【００５８】
モップの柄の下部４７で、上方から来たチューブ７１を概ね１８０度曲げて上方に向ける。
【００５９】
こうすることで、上部に取り付けたバルブ５１を閉じて塗布のためにモップの柄４１を左右及び前後に動かしてもチューブ７１内のワックスは落下しなくなる。
【００６０】
バルブ５１で押えることで開閉ができる程度の柔軟性を持つチューブ７１であるために、小さく曲げようとするとチューブ７１はつぶれてしまう。
【００６１】
チューブ７１をコンパクトに曲げるために、液止め用具７２に外周部が窪んだ戸車７３を取り付け、チューブ７１を戸車７３に沿わせて曲げた。
【００６２】
その先に、９０度のエルボ７８を取り付けると、よりモップの柄４１を動かす際にワックスが落ちにくくなった。
【００６３】
チューブ先端７４を容器の口１４と同じにして、液止めキャップ１５を取り付けるようにする。
【００６４】
液止め用具７２の液止め用具取付部７６をモップの柄の下部８３に差込み固定する。
【００６５】
こうすることで、移動時や休憩時にワックスの蒸発固化を防ぎ、かつ移動時の振動でワックスがこぼれ出ないようにできた。
【００６６】
塗布作業中に外しているキャップ１５を差し込むためのキャップ置き７７を設けた。
【００６７】
柔軟性があるチューブ７１を押さえることでチューブ内液体の流動停止を調節できるバルブ５１では、チューブに少なくとも変形や損傷を与える。
【００６８】
バルブ５１を必要時のみにチューブ７１に装着し、それ以外の時には外すことでチューブ７１の変形や損傷を最小限に抑えることができる。
【００６９】
そこで、バルブの構造を工夫してチューブ７１への着脱が容易にできるようにした。
【００７０】
フレーム５１とレバー５２を有し、フレーム５１からの立ち上げ部６２とレバー５２とを回転軸５７で回転できるように固定する。
【００７１】
レバー操作部６０がバネ５８の反発力でフレームの上方に押し上げられるようにする。
【００７２】
このとき回転軸の反対側のチューブ押え５３がフレーム５１を押える。
【００７３】
フレーム５９からの立ち上げ部６２は片側のみとする。
【００７４】
レバー操作部６１をフレーム５９側に押えて、チューブ押え部５３とフレーム５９との間に空間を確保して、立ち上げ部６２の反対の側面側からチューブ７１を挿入する。
【００７５】
レバー操作部側チューブガイド５５とチューブ押え側チューブガイド５６にチューブ７１を挿入する。
【００７６】
バルブ取付け部７６をモップの柄４１に差込み、モップの柄４１の適当な位置に固定する。
【００７７】
塗布作業中にレバー操作部６１を手で押えると、回転軸５７の反対側のチューブ押さえ５３がフレームから離れワックスが流れ出す。
【００７８】
チューブ７１をバルブ５１から外すときは、レバー操作部側チューブガイド５５とチューブ押え側チューブガイド５６からチューブ７１を外し、レバー操作部６１をフレーム５９側に押えて、チューブ押え部５３を上げて、立ち上げ部６２の反対の側面側へ取り外す。
【００７９】
このようにしたことで、チューブの着脱が容易になった。
【符号の説明】
【００８０】
１１  容器
１２  容器の渕部
１３  容器の口
１４  キャップ
２１  携帯用具
２２  台座
２３  手回しボルト
２４  プレート
２５  隙間確保用チューブ
３１  腰周り用携帯用具
３２  携帯用具受け
３３  差込部
３４  切り欠き
４１  モップの柄
４２  モップ用携帯用具
４３  振れ止め用具
４４  振れ防止用チューブ
４５  アーム
４６  切り欠き
４７  手締めバンド
５１  バルブ
５２  レバー
５３  チューブ押え部
５４  バルブ取付け部
５５  レバー操作部側チューブガイド
５６  チューブ押え側チューブガイド
５７  回転軸
５８  バネ
５９  フレーム
６１  レバー操作部
６２  フレーム立ち上げ部
７１  チューブ
７２  液止め用具
７３  戸車
７４  先端
７６  液止め用具取付け部
７７  キャップ置き
８１  モップの柄上端部
８２  先端の塗布具
８３  モップの柄の下部
【図１】
2010213812.tif 000003
【図２】
2010213812.tif 000004
【図３】
2010213812.tif 000005
【図４】
2010213812.tif 000006
【図５】
2010213812.tif 000007
【図６】
2010213812.tif 000008
【図７】
2010213812.tif 000009
【図８】
2010213812.tif 000010
【図９】
2010213812.tif 000011